(57)【特許請求の範囲】
【請求項１】
消毒機を含み、前記消毒機の中には浸し空間が設けられ、前記浸し空間の上側には左右に貫通した出し入れ空間が連通するように設けられ、前記出し入れ空間が上方に開口しており、前記浸し空間の中には旋転装置が設けられ、前記旋転装置は牛皮を前記浸し空間の中に浸すことができ、また前記旋転装置は牛皮を等速回転させることで消毒液を攪拌でき、同時に牛皮と消毒液との接触面積を増やすことで牛皮をより良く消毒でき、前記浸し空間の左右両側には昇降装置が対称的に設けられ、前記昇降装置は自動的に前記旋転装置を昇降連動させることができ、作業員が牛皮を出し入れることに便利であり、前記旋転装置の前後両側には翻転板装置が設けられ、前記昇降装置が前記旋転装置を前記出し入れ空間の中に連動させる時、前記翻転板装置が駆動されて前記旋転装置の下側に翻転し、牛皮を出し入れる時に手の滑りにより牛皮が前記浸し空間の中に落ちることを防ぎ、左側の前記昇降装置の左側には動力切り替え装置が設けられ、前記旋転装置が前記浸し空間の中に位置する時に自動的に回転でき、前記旋転装置が前記出し入れ空間の中に位置する時に手動で前記旋転装置を回転させることができ、牛皮の出し入れに便利であり、
前記旋転装置は左右対称に前記浸し空間の中に設置された昇降板を含み、前記昇降板の間には回転筒が前後対称に、且つ回転できるように連結され、前記回転筒の間には回転ベルトが巻き付いており、重ならない状態で牛皮を挟み道具により前記回転ベルトの外表面に固定し、前記回転筒の軸心には回転軸が固定的に設けられ、左側の前記昇降板の中にはプーリー空間が設けられ、前記回転軸の左端のうち前記プーリー空間の中に延びたところには従動プーリーが固定的に設けられ、前記従動プーリーの間の上側には駆動プーリーが回転できるように設けられ、前記駆動プーリーと前記従動プーリーとの間には伝動ベルトが巻き付いており、
前記昇降装置は前記出し入れ空間の左右両側に対称的に設けられた昇降空間を含み、前記昇降空間の中には昇降ロッドがスライドできるように設けられ、前記昇降ロッドの中には下方に開口したネジ山空間が設けられ、前記ネジ山空間の中には前記昇降空間の下壁に回転できるように連結されたねじボルトがねじ山によって連結され、前記昇降空間の下側には傘歯車空間が設けられ、前記ねじボルトの下端のうち前記傘歯車空間の中に延びているところには従動傘歯車が固定的に設けられており、
前記昇降空間と前記出し入れ空間との間にはガイドスライド空間が連通するように設けられ、前記ガイドスライド空間の中には前記昇降ロッドの上端に固定的に連結されたガイドスライドロッドがスライドできるように設けられ、両側の前記ガイドスライドロッドの互いに相対する端が前記昇降板に固定的に連結され、
前記傘歯車空間の間の内壁の中には昇降モーターが固定的に設けられ、前記昇降モーターの左右両端には動力軸が対称的に、且つ伝動できるように連結され、前記動力軸のうち前記昇降モーターから離れた一端が前記傘歯車空間の中に延びており、且つ前記動力軸のうち前記昇降モーターから離れた一端には駆動傘歯車が固定的に設けられ、前記駆動傘歯車が前記従動傘歯車と噛み合っており、
前記翻転板装置は前記出し入れ空間の中に前後対称に翻転できるように設けられた翻転板を含み、前記翻転板の下端が前記浸し空間の中に延びており、前記翻転板の上端の翻転中心には翻転軸が固定的に設けられ、前記翻転軸の左右両端のうち前記昇降空間に延びたところには平歯車が固定的に設けられ、前記昇降ロッドの前後両端には固定ロッドが対称的に固定的に設けられ、前記固定ロッドのうち前記昇降ロッドから離れた一端には前記平歯車と噛合できるラックが固定的に設けられ、
前記動力切り替え装置は左側の前記昇降空間の左壁に連通するように設けられた動力空間を含み、前記動力空間の左壁下端には回転モーターが固定的に設けられ、前記回転モーターの右端には駆動平歯車が伝動できるように連結され、左側の前記ガイドスライドロッドの左側には前記駆動平歯車と噛合できる伝動平歯車が回転できるように設けられ、前記伝動平歯車の軸心には伝動軸が固定的に設けられ、前記伝動軸の右端が前記駆動プーリーの軸心に固定的に連結され、前記動力空間の中の上側には前記伝動平歯車と噛合できる手動平歯車が回転できるように設けられ、前記手動平歯車の軸心には手動軸が固定的に設けられ、前記手動軸の左端のうち外部に延びたところには揺動ロッドが固定的に設けられていることを特徴とする皮革製造用牛皮消毒浸し装置。
【請求項２】
前記伝動平歯車と前記回転モーターとが噛合している時、前記回転モーターが動力を提供し、前記伝動平歯車と前記手動平歯車とが噛合している時、手動で前記揺動ロッドを揺動させることにより動力を提供することを特徴とする請求項１に記載の皮革製造用牛皮消毒浸し装置。
【発明の詳細な説明】
【技術分野】
【０００１】
本願発明は皮革生産分野を取り上げて、具体的には皮革製造用牛皮消毒浸し装置である。
【背景技術】
【０００２】
牛皮は皮革に製造される前に、消毒されてから次の加工ステップに入ることができ、一般的に消毒液に浸す方法で消毒するが、浸す時間が長い。現有の浸し消毒装置は牛皮を重ねる必要があるため、下部分と中間部分の牛皮の消毒効果がよくない。そして長時間の浸す過程に、消毒液内の消毒成分が不均一に分布し、層状になるため、上下層の牛皮の消毒状況が不一致になる。本願発明は以上の問題を解決できる。
【先行技術文献】
【特許文献】
【０００３】
【特許文献１】中国特許出願公開第１０６７０２０４２号明細書
【発明の概要】
【発明が解決しようとする課題】
【０００４】
技術問題：普通の牛皮消毒浸し装置は人工で牛皮を消毒液から取り出す必要があり、牛皮が重ねられて消毒液に入れられたため、消毒液との接触が不充分である。
【課題を解決するための手段】
【０００５】
上記の課題を解決するため、本願発明は以下の技術プランを採用する：本願発明の皮革製造用牛皮消毒浸し装置は、消毒機を含み、前記消毒機の中には浸し空間が設けられ、前記浸し空間の上側には左右に貫通した出し入れ空間が連通するように設けられ、前記出し入れ空間が上方に開口しており、前記浸し空間の中には旋転装置が設けられ、前記旋転装置は牛皮を前記浸し空間の中に浸すことができ、また前記旋転装置は牛皮を等速回転させることで消毒液を攪拌でき、同時に牛皮と消毒液との接触面積を増やすことで牛皮をより良く消毒でき、前記浸し空間の左右両側には昇降装置が対称的に設けられ、前記昇降装置は自動的に前記旋転装置を昇降連動させることができ、作業員が牛皮を出し入れることに便利であり、前記旋転装置の前後両側には翻転板装置が設けられ、前記昇降装置が前記旋転装置を前記出し入れ空間の中に連動させる時、前記翻転板装置が駆動されて前記旋転装置の下側に翻転し、牛皮を出し入れる時に手の滑りにより牛皮が前記浸し空間の中に落ちることを防ぎ、左側の前記昇降装置の左側には動力切り替え装置が設けられ、前記旋転装置が前記浸し空間の中に位置する時に自動的に回転でき、前記旋転装置が前記出し入れ空間の中に位置する時に手動で前記旋転装置を回転させることができ、牛皮の出し入れに便利である。
【０００６】
優選の技術プランとして、前記旋転装置は左右対称に前記浸し空間の中に設置された昇降板を含み、前記昇降板の間には回転筒が前後対称に、且つ回転できるように連結され、前記回転筒の間には回転ベルトが巻き付いており、前記回転筒の軸心には回転軸が固定的に設けられ、左側の前記昇降板の中にはプーリー空間が設けられ、前記回転軸の左端のうち前記プーリー空間の中に延びたところには従動プーリーが固定的に設けられ、前記従動プーリーの間の上側には駆動プーリーが回転できるように設けられ、前記駆動プーリーと前記従動プーリーとの間には伝動ベルトが巻き付いている。
【０００７】
優選の技術プランとして、前記昇降装置は前記出し入れ空間の左右両側に対称的に設けられた昇降空間を含み、前記昇降空間の中には昇降ロッドがスライドできるように設けられ、前記昇降ロッドの中には下方に開口したネジ山空間が設けられ、前記ネジ山空間の中には前記昇降空間の下壁に回転できるように連結されたねじボルトがねじ山によって連結され、前記昇降空間の下側には傘歯車空間が設けられ、前記ねじボルトの下端のうち前記傘歯車空間の中に延びているところには従動傘歯車が固定的に設けられている。
【０００８】
優選の技術プランとして、前記傘歯車空間の間の内壁の中には昇降モーターが固定的に設けられ、前記昇降モーターの左右両端には動力軸が対称的に、且つ伝動できるように連結され、前記動力軸のうち前記昇降モーターから離れた一端が前記傘歯車空間の中に延びており、且つ前記動力軸のうち前記昇降モーターから離れた一端には駆動傘歯車が固定的に設けられ、前記駆動傘歯車が前記従動傘歯車と噛み合っている。
【０００９】
優選の技術プランとして、前記昇降空間と前記出し入れ空間との間にはガイドスライド空間が連通するように設けられ、前記ガイドスライド空間の中には前記昇降ロッドの上端に固定的に連結されたガイドスライドロッドがスライドできるように設けられ、両側の前記ガイドスライドロッドの互いに相対する端が前記昇降板に固定的に連結されている。
【００１０】
優選の技術プランとして、前記翻転板装置は前記出し入れ空間の中に前後対称に翻転できるように設けられた翻転板を含み、前記翻転板の下端が前記浸し空間の中に延びており、前記翻転板の上端の翻転中心には翻転軸が固定的に設けられ、前記翻転軸の左右両端のうち前記昇降空間に延びたところには平歯車が固定的に設けられ、前記昇降ロッドの前後両端には固定ロッドが対称的に固定的に設けられ、前記固定ロッドのうち前記昇降ロッドから離れた一端には前記平歯車と噛合できるラックが固定的に設けられている。
【００１１】
優選の技術プランとして、前記動力切り替え装置は左側の前記昇降空間の左壁に連通するように設けられた動力空間を含み、前記動力空間の左壁下端には回転モーターが固定的に設けられ、前記回転モーターの右端には駆動平歯車が伝動できるように連結され、左側の前記ガイドスライドロッドの左側には前記駆動平歯車と噛合できる伝動平歯車が回転できるように設けられ、前記伝動平歯車の軸心には伝動軸が固定的に設けられ、前記伝動軸の右端が前記駆動プーリーの軸心に固定的に連結され、前記動力空間の中の上側には前記伝動平歯車と噛合できる手動平歯車が回転できるように設けられ、前記手動平歯車の軸心には手動軸が固定的に設けられ、前記手動軸の左端のうち外部に延びたところには揺動ロッドが固定的に設けられている。
【００１２】
優選の技術プランとして、前記伝動平歯車と前記回転モーターとが噛合している時、前記回転モーターが動力を提供し、前記伝動平歯車と前記手動平歯車とが噛合している時、手動で前記揺動ロッドを揺動させることにより動力を提供する。
【発明の効果】
【００１３】
本願発明は牛皮をより良く消毒液と接触させることができ、且つ自動的に牛皮を回転連動させることができ、消毒の効率を高め、回転で生じた水流が消毒液を攪拌でき、消毒液が均一に混合され、消毒の効果を向上させた。
【図面の簡単な説明】
【００１４】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の皮革製造用牛皮消毒浸し装置の全体構成略図
【図２】図２は図１のＡ―Ａ方向の構成略図
【図３】図３は図１のＢ―Ｂ方向の構成略図
【図４】図４は図１のＣ―Ｃ方向の構成略図
【図５】図５は図１のＤ―Ｄ方向の構成略図
【発明を実施するための形態】
【００１６】
本願発明の皮革製造用牛皮消毒浸し装置は、主に皮革製造過程において牛皮への消毒作業に適用され、以下に付図を合わせて本発明について詳しく説明する：
【００１７】
本願発明の前記皮革製造用牛皮消毒浸し装置は、消毒機１１を含み、前記消毒機１１の中には浸し空間１２が設けられ、前記浸し空間１２の上側には左右に貫通した出し入れ空間１３が連通するように設けられ、前記出し入れ空間１３が上方に開口しており、前記浸し空間１２の中には旋転装置１０１が設けられ、前記旋転装置１０１は牛皮を前記浸し空間１２の中に浸すことができ、また前記旋転装置１０１は牛皮を等速回転させることで消毒液を攪拌でき、同時に牛皮と消毒液との接触面積を増やすことで牛皮をより良く消毒でき、前記浸し空間１２の左右両側には昇降装置１０２が対称的に設けられ、前記昇降装置１０２は自動的に前記旋転装置１０１を昇降連動させることができ、作業員が牛皮を出し入れることに便利であり、前記旋転装置１０１の前後両側には翻転板装置１０３が設けられ、前記昇降装置１０２が前記旋転装置１０１を前記出し入れ空間１３の中に連動させる時、前記翻転板装置１０３が駆動されて前記旋転装置１０１の下側に翻転し、牛皮を出し入れる時に手の滑りにより牛皮が前記浸し空間１２の中に落ちることを防ぎ、左側の前記昇降装置１０２の左側には動力切り替え装置１０４が設けられ、前記旋転装置１０１が前記浸し空間１２の中に位置する時に自動的に回転でき、前記旋転装置１０１が前記出し入れ空間１３の中に位置する時に手動で前記旋転装置１０１を回転させることができ、牛皮の出し入れに便利である。
【００１８】
有益に、前記旋転装置１０１は左右対称に前記浸し空間１２の中に設置された昇降板１４を含み、前記昇降板１４の間には回転筒１５が前後対称に、且つ回転できるように連結され、前記回転筒１５の間には回転ベルト１６が巻き付いており、前記回転筒１５の軸心には回転軸１７が固定的に設けられ、左側の前記昇降板１４の中にはプーリー空間１８が設けられ、前記回転軸１７の左端のうち前記プーリー空間１８の中に延びたところには従動プーリー１９が固定的に設けられ、前記従動プーリー１９の間の上側には駆動プーリー２０が回転できるように設けられ、前記駆動プーリー２０と前記従動プーリー１９との間には伝動ベルト２１が巻き付いている。
【００１９】
有益に、前記昇降装置１０２は前記出し入れ空間１３の左右両側に対称的に設けられた昇降空間２２を含み、前記昇降空間２２の中には昇降ロッド２３がスライドできるように設けられ、前記昇降ロッド２３の中には下方に開口したネジ山空間２４が設けられ、前記ネジ山空間２４の中には前記昇降空間２２の下壁に回転できるように連結されたねじボルト２５がねじ山によって連結され、前記昇降空間２２の下側には傘歯車空間２６が設けられ、前記ねじボルト２５の下端のうち前記傘歯車空間２６の中に延びているところには従動傘歯車２７が固定的に設けられている。
【００２０】
有益に、前記傘歯車空間２６の間の内壁の中には昇降モーター２８が固定的に設けられ、前記昇降モーター２８の左右両端には動力軸２９が対称的に、且つ伝動できるように連結され、前記動力軸２９のうち前記昇降モーター２８から離れた一端が前記傘歯車空間２６の中に延びており、且つ前記動力軸２９のうち前記昇降モーター２８から離れた一端には駆動傘歯車３０が固定的に設けられ、前記駆動傘歯車３０が前記従動傘歯車２７と噛み合っている。
【００２１】
有益に、前記昇降空間２２と前記出し入れ空間１３との間にはガイドスライド空間３１が連通するように設けられ、前記ガイドスライド空間３１の中には前記昇降ロッド２３の上端に固定的に連結されたガイドスライドロッド３２がスライドできるように設けられ、両側の前記ガイドスライドロッド３２の互いに相対する端が前記昇降板１４に固定的に連結されている。
【００２２】
有益に、前記翻転板装置１０３は前記出し入れ空間１３の中に前後対称に翻転できるように設けられた翻転板３３を含み、前記翻転板３３の下端が前記浸し空間１２の中に延びており、前記翻転板３３の上端の翻転中心には翻転軸３４が固定的に設けられ、前記翻転軸３４の左右両端のうち前記昇降空間２２に延びたところには平歯車３５が固定的に設けられ、前記昇降ロッド２３の前後両端には固定ロッド３６が対称的に固定的に設けられ、前記固定ロッド３６のうち前記昇降ロッド２３から離れた一端には前記平歯車３５と噛合できるラック３７が固定的に設けられている。
【００２３】
有益に、前記動力切り替え装置１０４は左側の前記昇降空間２２の左壁に連通するように設けられた動力空間３８を含み、前記動力空間３８の左壁下端には回転モーター３９が固定的に設けられ、前記回転モーター３９の右端には駆動平歯車４０が伝動できるように連結され、左側の前記ガイドスライドロッド３２の左側には前記駆動平歯車４０と噛合できる伝動平歯車４１が回転できるように設けられ、前記伝動平歯車４１の軸心には伝動軸４２が固定的に設けられ、前記伝動軸４２の右端が前記駆動プーリー２０の軸心に固定的に連結され、前記動力空間３８の中の上側には前記伝動平歯車４１と噛合できる手動平歯車４３が回転できるように設けられ、前記手動平歯車４３の軸心には手動軸４４が固定的に設けられ、前記手動軸４４の左端のうち外部に延びたところには揺動ロッド４５が固定的に設けられている。
【００２４】
有益に、前記伝動平歯車４１と前記回転モーター３９とが噛合している時、前記回転モーター３９が動力を提供し、前記伝動平歯車４１と前記手動平歯車４３とが噛合している時、手動で前記揺動ロッド４５を揺動させることにより動力を提供する。
【００２５】
以下に図１〜５を合わせて本願発明の使用手順について詳しく説明する：
【００２６】
初期状態に、翻転板３３が垂直状態にあり、回転筒１５と回転ベルト１６とが浸し空間１２の中に位置し、昇降ロッド２３が下限界位置にあり、伝動平歯車４１と駆動平歯車４０とが噛合している。
【００２７】
牛皮を置く時、昇降モーター２８が作動し、動力軸２９で駆動傘歯車３０を回転連動させ、歯車の噛合により従動傘歯車２７を回転連動させてねじボルト２５を回転連動させ、ねじ山の連結により昇降ロッド２３を上昇連動させ、ガイドスライドロッド３２により昇降板１４と、回転筒１５と、回転ベルト１６とを上昇連動させ、この時昇降ロッド２３が固定ロッド３６によりラック３７を上昇連動させ、回転ベルト１６が完全に翻転軸３４の上方上昇した時、ラック３７と平歯車３５とが噛合し、伝動平歯車４１と手動平歯車４３とが噛合するまで昇降ロッド２３が引き続き上昇し、この時ラック３７が上昇して歯車の噛合により平歯車３５を回転連動させ、翻転軸３４により翻転板３３を回転ベルト１６の下方に翻転させて水平状態にさせ、この時牛皮を挟み道具により回転ベルト１６の外表面に固定し、手動で揺動ロッド４５を回転させ、主動軸４４により手動平歯車４３を回転連動させ、歯車の噛合により伝動平歯車４１を回転連動させ、伝動軸４２により駆動プーリー２０を回転連動させ、伝動ベルト２１により従動プーリー１９を回転連動させ、回転軸１７により回転筒１５を回転連動させて回転ベルト１６を回転連動させ、これにより回転ベルト１６の牛皮の置かれていない面を上方に回転させ、牛皮を置くことに便利であり、そして昇降モーター２８が翻転して装置を初期状態に戻らせ、牛皮を消毒液の中に浸す。
【００２８】
消毒する時、回転モーター３９が作動し駆動平歯車４０を回転連動させ、歯車の噛合により伝動平歯車４１を回転連動させて回転ベルト１６を回転連動させ、これにより牛皮を消毒液に浸して回転させ、一定程度で消毒液を攪拌し、前記回転モーター３９を起動時間を設定することにより、前記回転モーター３９が定時に作動し回転し、消毒を行うことができる。
【００２９】
本願発明の有益効果は：本願発明は牛皮をより良く消毒液と接触させることができ、且つ自動的に牛皮を回転連動させることができ、消毒の効率を高め、回転で生じた水流が消毒液を攪拌でき、消毒液が均一に混合され、消毒の効果を向上させた。
【００３０】
以上の方式により、本分野の技術者は本願発明の範囲内に作動方式により各種の変化を加えることができる。
【図１】
0006826252.tif 000002
【図２】
0006826252.tif 000003
【図３】
0006826252.tif 000004
【図４】
0006826252.tif 000005
【図５】
0006826252.tif 000006